(57)【要約】      （修正有）【課題】段積みすることができると共に段ボール等の厚紙の使用量を抑えることができる、持ち運びに適した容器集積包装体を提供する。【解決手段】厚紙からなるキャリーベース１０に複数の瓶容器Ｃを載置した状態で筒状の熱収縮性フィルム２０を被嵌して熱収縮させることで瓶容器Ｃをキャリーベース１０に保持している。キャリーベース１０は、上端縁が連接された台形状の中央起立板１１と、中央起立板１１に連設された、瓶容器Ｃを載せる底面板と、各底面板に連設された外側起立板１３とを備えており、瓶容器Ｃの天面に載せる上面板１４を中央起立板１１から切り起こすことで下げ手孔Ｈが形成されている。熱収縮性フィルム２０は、上下端部が上面板１４の上面側及び底面板の下面側に回り込んでおり、二つ折りされた中央起立板１１の間に、その下端側から他の容器集積包装体１の中央起立板１１の下げ手部分ＣＰを差し込んで段積みすることができる。【選択図】図１
2011116432.tif 000002
【特許請求の範囲】
【請求項１】
紙素材のシートによって形成されたキャリーベースに複数の容器を載置した状態で、上下方向に開口した筒状の熱収縮性フィルムを被嵌して熱収縮させることで、複数の容器をキャリーベースに保持するようにした容器集積包装体であって、
前記キャリーベースは、
上端縁が連接された状態で立ち上がる一対の中央起立板と、
前記中央起立板のそれぞれの下端縁から外側に張り出す、容器が載置される一対の底面板と
を備え、
筒状の前記熱収縮性フィルムは、その下端部が一対の前記底面板の下面側に回り込むような状態で熱収縮されて、前記キャリーベースに装着され、
装着後の前記熱収縮性フィルムの下端部は、前記底面板の下面側に位置する下端開口部を有し、
一対の前記中央起立板の前記底面板に載置した容器よりも上側の突出部分が、二以上の容器集積包装体を積み重ねる際に一方の容器集積包装体における前記中央起立板の突出部分が他方の容器集積包装体における前記熱収縮性フィルムの下端開口部内に位置するように、一対の前記中央起立板の下端縁の幅より幅狭に形成されていることを特徴とする容器集積包装体。
【請求項２】
前記キャリーベースが、それぞれの前記底面板に載置した容器の天面の上方に位置する一対の上面板を備え、
前記熱収縮性フィルムは、その上端部が一対の前記上面板の上面側に回り込むような状態で熱収縮されて前記キャリーベースに装着される請求項１記載の容器集積包装体。
【請求項３】
一対の前記中央起立板における前記突出部分には、下げ手孔が設けられており、
前記下げ手孔は、切目線によって形成される一対の舌片をそれぞれ外側に折り曲げることにより形成され、且つ折り曲げられた一対の前記舌片が一対の前記上面板となる請求項２記載の容器集積包装体。
【発明の詳細な説明】
【技術分野】
【０００１】
この発明は、液体飲料やタブレット等が充填された瓶容器や缶容器等を集積包装した、持ち運びに適した容器集積包装体に関する。
【背景技術】
【０００２】
従来より、液体飲料やタブレット等が充填された瓶容器や缶容器等を店頭で販売するに際し、まとめ買いの便宜を図るために、複数の瓶容器や缶容器等を段ボール等の厚紙によって形成された容器キャリーに収容している。
【０００３】
こういった容器キャリーは、図１０に示すように、下げ手孔５１ａが形成された中央起立板５１の両側に、瓶容器や缶容器等を１本づつ収容することができるように、複数に仕切られた容器収容部５２がそれぞれ形成されており、中央起立板５１の下げ手孔５１ａに指をかけて持ち運ぶようになっている。
【先行技術文献】
【特許文献】
【０００４】
【特許文献１】特表平１１−５１３００５号公報
【発明の概要】
【発明が解決しようとする課題】
【０００５】
しかしながら、上述したような容器キャリー５０は、バスケット状の容器収容部５２から中央起立板５１が立ち上がっており、図１１に示すように、容器収容部５２に瓶容器Ｃ等を収容した状態でも、中央起立板５１の下げ手部分が瓶容器の上側に突出することになるので、段積みすることができず、効率よく輸送したり、保管したりすることができないといった問題がある。
【０００６】
また、こういった容器キャリーを形成している段ボール等の厚紙は比較的高価であるので、近年では、容器キャリーにおける厚紙の使用量を減らすことで、包装コストを削減することが望まれている。
【０００７】
そこで、この発明の課題は、段積みすることができると共に段ボール等の厚紙の使用量を抑えることができる、持ち運びに適した容器集積包装体を提供することにある。
【課題を解決するための手段】
【０００８】
上記の課題を解決するため、請求項１に係る発明は、紙素材のシートによって形成されたキャリーベースに複数の容器を載置した状態で、上下方向に開口した筒状の熱収縮性フィルムを被嵌して熱収縮させることで、複数の容器をキャリーベースに保持するようにした容器集積包装体であって、前記キャリーベースは、上端縁が連接された状態で立ち上がる一対の中央起立板と、前記中央起立板のそれぞれの下端縁から外側に張り出す、容器が載置される一対の底面板とを備え、筒状の前記熱収縮性フィルムは、その下端部が一対の前記底面板の下面側に回り込むような状態で熱収縮されて、前記キャリーベースに装着され、装着後の前記熱収縮性フィルムの下端部は、前記底面板の下面側に位置する下端開口部を有し、一対の前記中央起立板の前記底面板に載置した容器よりも上側の突出部分が、二以上の容器集積包装体を積み重ねる際に一方の容器集積包装体における前記中央起立板の突出部分が他方の容器集積包装体における前記熱収縮性フィルムの下端開口部内に位置するように、一対の前記中央起立板の下端縁の幅より幅狭に形成されていることを特徴とする容器集積包装体を提供するものである。
【０００９】
また、請求項２に係る発明は、請求項１に係る発明の容器集積包装体において、前記キャリーベースが、それぞれの前記底面板に載置した容器の天面の上方に位置する一対の上面板を備え、前記熱収縮性フィルムは、その上端部が一対の前記上面板の上面側に回り込むような状態で熱収縮されて前記キャリーベースに装着されることを特徴としている。
【００１０】
また、請求項３に係る発明は、請求項２に係る発明の容器集積包装体において、一対の前記中央起立板における前記突出部分には、下げ手孔が設けられており、前記下げ手孔は、切目線によって形成される一対の舌片をそれぞれ外側に折り曲げることにより形成され、且つ折り曲げられた一対の前記舌片が一対の前記上面板となることを特徴としている。
【発明の効果】
【００１１】
以上のように、請求項１に係る発明の容器集積包装体は、一対の中央起立板における、底面板に載置した容器よりも上側の突出部分が、二以上の容器集積包装体を積み重ねる際に一方の容器集積包装体における中央起立板の突出部分が他方の容器集積包装体における熱収縮性フィルムの下端開口部内に位置するように、一対の中央起立板の下端縁の幅より幅狭に形成されているので、下側の容器集積包装体における中央起立板の突出部分を、上側の容器集積包装体の下端側から一対の中央起立板の間に差し込んで、下側の容器集積包装体における容器の天面部分に上側の容器集積包装体の底面板部分を載せるようにして順次段積みしていくことができ、効率よく輸送、保管することができる。特に、この容器集積包装体は熱収縮性フィルムが熱収縮されて装着されているので、適度な締め付け力がキャリーベースに作用しており、一対の中央起立板の間が過度に開くことがない。従って、その締め付け力により、段積みした際に上側の容器集積包装体の一対の中央起立板の間に差し込まれた下側の容器集積包装体における中央起立板の突出部分を、上側の容器集積包装体の一対の中央起立板が挟み込むようにして保持するので、安定して確実に段積みすることができる。
【００１２】
また、この容器集積包装体は、紙素材のシートによって形成されたキャリーベースに複数の容器を載置した状態で、筒状の熱収縮性フィルムを被嵌して熱収縮させることで、複数の容器をキャリーベースに保持するようになっているので、キャリーベース自体で容器を保持する必要がなく、キャリーベースの構成がシンプルになる。従って、厚紙によって容器収容部を形成している従来の容器キャリーに比べて、高価な厚紙の使用量を抑えることができ、包装コストの削減を図ることができる。
【００１３】
また、請求項２に係る発明の容器集積包装体は、容器の天面の上方に位置する一対の上面板を備え、熱収縮性フィルムの上端部が一対の上面板の上面側に回り込むような状態で熱収縮されているので、熱収縮性フィルム内への埃や塵の侵入を防止することができると共に、上面板を容器の天面に載せることによって、段積みする場合の安定性が向上するという効果も得られる。
【００１４】
特に、請求項３に係る発明の容器集積包装体は、中央起立板における突出部分に設けられた下げ手孔が、切目線によって形成される一対の舌片をそれぞれ外側に折り曲げることにより形成されており、しかも、折り曲げた一対の舌片を一対の上面板として使用しているので、部材点数及び材料コストを削減することができると共に、資材ゴミを削減することができるという効果が得られる。
【図面の簡単な説明】
【００１５】
【図１】この発明に係る容器集積包装体の一実施形態を示す正面図である。
【図２】同上の容器集積包装体を示す平面図である。
【図３】同上の容器集積包装体を示す側面図である。
【図４】同上の容器集積包装体を示す底面図である。
【図５】同上の容器集積包装体を構成しているキャリーベースを形成するためのブランクを示す平面図である。
【図６】（ａ）は同上の容器集積包装体の形成過程を示す正面図、（ｂ）は同上の容器集積包装体の形成過程を示す側面図である。
【図７】（ａ）は同上の容器集積包装体を段積みした状態を示す正面図、（ｂ）は同上の容器集積包装体を段積みした状態を示す側面図である。
【図８】（ａ）はキャリーベースの変形例を示す平面図、（ｂ）は同上のキャリーベースを示す正面図である。
【図９】キャリーベースの他の変形例を示す正面図である。
【図１０】従来の容器キャリーを示す斜視図である。
【図１１】同上の容器キャリーにボトル容器を収容した状態を示す斜視図である。
【発明を実施するための形態】
【００１６】
以下、実施の形態について図面を参照して説明する。図１〜図４に示すように、この容器集積包装体１は、紙素材のシートによって形成されたキャリーベース１０に複数の瓶容器Ｃを載置した状態で、筒状の熱収縮性フィルム２０を被嵌して熱収縮させることで、複数の瓶容器Ｃをキャリーベース１０に保持したものであり、キャリーベース１０は、図５に示すように、厚紙からなるブランクＢによって形成されている。なお、以下の説明では、キャリーベース１０は厚紙で形成されているものとして説明するが、素材に紙由来の材料を使用したシートを用いればよく特に限定されない。例えば複数の厚紙により構成される段ボール素材や、紙シートにプラスチックフィルムを貼り合せて構成される合成紙等も使用することができる。
【００１７】
前記ブランクＢは、図５に示すように、折目線Ｌ１を介して相互に連設された台形状の中央起立板１１、１１と、それぞれの中央起立板１１、１１に折目線Ｌ２、Ｌ２を介して連設された長方形状の底面板１２、１２と、それぞれの底面板１２、１２に折目線Ｌ３、Ｌ３を介して連設された台形状の外側起立板１３、１３とから構成されており、それぞれの中央起立板１１、１１には、下げ手孔Ｈを形成するための切目線１１ａ、１１ａが形成されていると共に、その切目線１１ａ、１１ａの両端部を結ぶ折目線Ｌ４、Ｌ４が形成されている。
【００１８】
以上のように構成されたブランクＢを用いて、上述した容器集積包装体１を形成するには、まず、ブランクＢを折目線Ｌ１で二つ折りにした状態で、底面板１２、１２を折目線Ｌ２で外側に９０度折り曲げ、底面板１２、１２の上に瓶容器Ｃを５本ずつ載置した後、外側起立板１３、１３を折目線Ｌ３で折り曲げて起こすことによって瓶容器Ｃの胴部周面に沿わせると共に、一対の中央起立板１１、１１に形成された切目線１１ａ、１１ａによって囲われた舌片部分を、上面板１４、１４として、折目線Ｌ４、Ｌ４で外側に折り曲げることによって下げ手孔Ｈを形成すると共に、上面板１４、１４を瓶容器Ｃの天面に載せる。
【００１９】
続いて、図６（ａ）、（ｂ）に示すように、瓶容器Ｃの天面及び底面から上下に突出するように、上下方向に開口した筒状の熱収縮性フィルム２０を被嵌した状態で、熱収縮性フィルム２０を加熱すると、図１〜４に示すように、熱収縮性フィルム２０は、その上端部が一対の上面板１４、１４の上面側に回り込むと共に、その下端部が底面板１２、１２の下面側に回り込むような状態で熱収縮され、１０本の瓶容器Ｃが、ブランクＢからなるキャリーベース１０に保持された容器集積包装体１が出来上がる。なお、熱収縮性フィルム２０は特に限定されず、通常公知のものが使用できる。
【００２０】
このようにして形成された容器集積包装体１は、瓶容器Ｃから上方に突出した、下げ手孔Ｈを有する下げ手部分ＣＰが、熱収縮性フィルム２０によって覆われていないので、下げ手孔Ｈに指を入れて下げ手部分ＣＰを掴んで持ち運ぶことができる。
【００２１】
また、この容器集積包装体１は、図４に示すように、底面板１２、１２によって形成されるキャリーベース１０の底面部分の周縁が、回り込んだ熱収縮性フィルム２０の下端部によって覆われることになり、上端縁が連接された状態で立ち上がる一対の中央起立板１１、１１の隙間部分Ｓも、その両端部が熱収縮性フィルム２０によって閉塞されることになるが、一対の中央起立板１１、１１における瓶容器Ｃから上側に突出している幅狭の下げ手部分ＣＰに対応する領域Ｒは熱収縮性フィルム２０によって閉塞されていないので、図７（ａ）、（ｂ）に示すように、一対の中央起立板１１、１１の間に、その下端側から他の容器集積包装体１の中央起立板１１、１１の瓶容器Ｃから上側に突出している下げ手部分ＣＰを差し込んで、複数の容器集積包装体１を段積みすることができ、効率よく輸送、保管することができる。特に、この容器集積包装体１は熱収縮性フィルム２０が熱収縮されて装着されているので、適度な締め付け力がキャリーベース１０に作用しており、一対の中央起立板１１、１１の隙間部分Ｓが過度に開くことがない。従って、その締め付け力により、段積みした際に上側の容器集積包装体１の一対の中央起立板１１、１１の隙間部分Ｓに差し込まれた下側の容器集積包装体１における中央起立板１１、１１の下げ手部分ＣＰを、上側の容器集積包装体１の一対の中央起立板１１、１１が挟み込むようにして保持するので、安定して確実に段積みすることができる。
【００２２】
また、この容器集積包装体１は、容器Ｃの天面に載せる一対の上面板１４、１４を備えており、熱収縮性フィルム２０の上端部が一対の上面板１４、１４の上面側に回り込むような状態で熱収縮されているので、熱収縮性フィルム２０内への埃や塵の侵入を防止することができると共に、複数の容器集積包装体１を段積みする場合の安定性が向上する。
【００２３】
また、この容器集積包装体１は、中央起立板１１、１１の下げ手部分ＣＰに設けられた下げ手孔Ｈが、切目線１１ａ、１１ａによって形成される一対の舌片をそれぞれ外側に折り曲げることによって形成されており、しかも、折り曲げた一対の舌片を一対の上面板１４、１４として使用しているので、部材点数を削減することができ、これによって材料コスト及び資材ゴミを削減することができるという効果がある。
【００２４】
さらに、この容器集積包装体１は、上述したように、厚紙によって形成されたキャリーベース１０に複数の瓶容器Ｃを載置した状態で、筒状の熱収縮性フィルム２０を被嵌して熱収縮させることで、複数の瓶容器Ｃをキャリーベース１０に保持するようになっているので、キャリーベース１０自体で瓶容器Ｃを保持する必要がなく、キャリーベース１０の構成がシンプルになる。従って、厚紙によって容器収容部を形成している従来の容器キャリーに比べて、厚紙の使用量を抑えることができ、包装コストの削減を図ることができる。
【００２５】
なお、上述した容器集積包装体１では、それぞれの中央起立板１１、１１に形成された切目線１１ａ、１１ａによって囲われた舌片部分を折目線Ｌ４、Ｌ４で外側に折り曲げることによって、下げ手孔Ｈと上面板１４、１４とを同時に形成しているが、これに限定されるものではなく、例えば、図８（ａ）、（ｂ）に示すように、長方形状の上面板１４Ａ、１４Ａを厚紙によって別途形成し、これを瓶容器Ｃの天面に載せた状態で、筒状の熱収縮性フィルム２０を被嵌して加熱収縮させてもよい。このように、上面板を中央起立板１１から独立させると、同図（ｂ）に示すように、瓶容器Ｃの天面からある程度の間隔を開けた位置に下げ手孔Ｈを形成することができ、これに伴って、下げ手部分ＣＰの高さを高くすることも可能になる。この場合、中央起立板１１、１１を完全に打ち抜くことによって、下げ手孔Ｈを形成しておく必要がある。
【００２６】
また、上述した各実施形態では、一対の中央起立板１１、１１を台形状に形成すると共に、外側起立板１３も台形状に形成しているが、これに限定されるものではなく、一対の中央起立板の間に、その下端側から他の容器集積包装体の中央起立板の下げ手部分を差し込んで段積みすることができるのであれば、例えば、図９に示すように、一対の中央起立板１１Ａ、１１Ａを、瓶容器Ｃに対応する下側部分ＤＰが幅広の長方形状で、下げ手部分ＣＰが幅狭の長方形状になるように、上下で段差のある八角形状に形成すると共に、外側起立板１３Ａ、１３Ａを中央起立板１１Ａ、１１Ａの下側部分ＤＰと同一幅の長方形状に形成することも可能である。
【００２７】
また、上述した実施形態では、瓶容器Ｃを集積包装する場合について説明したが、これに限定されるものではなく、飲料缶等の缶容器やＰＥＴボトル等のボトル容器を集積包装する場合にも本発明を適用することができることはいうまでもない。
【産業上の利用可能性】
【００２８】
本発明は、液体飲料等が充填された瓶容器や缶容器等を集積包装する場合に利用することができる。
【符号の説明】
【００２９】
１  容器集積包装体
１０  キャリーベース
１１、１１Ａ  中央起立板
１１ａ  切目線
１２  底面板
１３、１３Ａ  外側起立板
１４、１４Ａ  上面板
２０  熱収縮性フィルム
Ｂ  ブランク
Ｃ  瓶容器
ＣＰ  下げ手部分
ＤＰ  下側部分
Ｈ  下げ手孔
Ｌ１、Ｌ２、Ｌ３、Ｌ４  折目線
【図１】
2011116432.tif 000003
【図２】
2011116432.tif 000004
【図３】
2011116432.tif 000005
【図４】
2011116432.tif 000006
【図５】
2011116432.tif 000007
【図６】
2011116432.tif 000008
【図７】
2011116432.tif 000009
【図８】
2011116432.tif 000010
【図９】
2011116432.tif 000011
【図１０】
2011116432.tif 000012
【図１１】
2011116432.tif 000013